(57)【要約】【課題】  ノズルを掃除機に収納時に、尖ったノズルの先端が使用者の方に向いて装着されるので好ましくない。また、床吸込具を前後動作させて掃除すると、ノズルの先端が服に引っ掛かりノズルがアタッチメントホルダーから外れ落ちる可能性がある。【解決手段】  ホースの吸込口や延長パイプの吸込口等に接続され、隙間掃除や掃けとしての機能を持つノズルを有する電気掃除機であって、ノズルには、一端に先端が細くなった吸込口と、他端に開口を伴う連結用の連結部と、この両端を連通する貫通穴と、両端間に先端側に向いた開口とを形成し、また、掃除機本体または掃除機本体に接続するホース若しくはパイプに先端が使用者側に向くＬ形状のホルダーを形成し、ノズルの開口にホルダーのＬ形状の先端を差し込み、ノズルを収納する。【選択図】        図４
2005052551.tif 000002
【特許請求の範囲】
【請求項１】
ホースの吸込口や延長パイプの吸込口等に接続され、隙間掃除及び／又は掃けとしての機能を持つノズルを有する電気掃除機において、
前記ノズルには、一端に先端が細くなった吸込口と、他端に開口を伴う連結用の連結部と、前記両端を連通する貫通穴と、前記両端間に前記先端側に向いた開口とを形成し、
また、掃除機本体、掃除機本体に接続するホース、該ホースに接続する延長パイプ又は床ブラシの延長パイプ連結部に、先端が使用者側に向くＬ形状のホルダーを取付け、
前記ノズルの開口に前記ホルダーのＬ形状の先端を差し込み、前記ノズルを収納することを特徴とする電気掃除機。
【請求項２】
前記ノズルの前記開口は、前記ノズルの前記貫通穴に連通していることを特徴とする請求項１に記載の電気掃除機。
【請求項３】
前記ノズルの前記開口と前記連結部の前記他端間に穴や切欠きを形成し、また、前記ホルダーの先端の内面に、前記穴や切欠きに対応する突起を形成し、前記ノズルの収納時に、前記突起が前記穴又は切欠きに挿入されることを特徴とする請求項１又は請求項２に記載の電気掃除機。
【請求項４】
前記ノズルの前記穴や切欠きは、前記ノズルを使用時、前記ノズルの連結部を前記ホースの吸込口や前記延長パイプの吸込口等に嵌合し、連結することにより、前記吸込口の嵌合面により塞がれることを特徴とする請求項３に記載の電気掃除機。
【請求項５】
前記ノズルの連結部の前記ホルダー収納側の面を平面とするか、又は前記ホルダー取付け部の外形形状に合せた面とすることを特徴とする請求項１〜請求項４のいずれかの請求項に記載の電気掃除機。
【請求項６】
前記ノズルは先端に植毛を有する植毛台付きのノズルであり、前記ノズルを収納時、前記植毛台と前記ホルダー取付け部の外壁との間隙を、前記ノズルの外壁と前記ホルダー取付け部との間隙より小さくしたことを特徴とする請求項１〜請求項５のいずれかの請求項に記載の電気掃除機。
【請求項７】
前記ホルダー取付け部の前記ホルダー先端よりさらに吸気上流側で、前記ノズル収納時に、前記ノズルの連結部の端部が位置する場所に、外壁から突出した凸部を設けたことを特徴とする請求項１〜請求項６のいずれかの請求項に記載の電気掃除機。
【発明の詳細な説明】
【技術分野】
【０００１】
本発明は電気掃除機に関し、特に隙間掃除及び／又は掃けとしての機能を持つ電気掃除機のノズルに関するものである。
【背景技術】
【０００２】
先行技術として、スキマノズル及びタナノズル等のアタッチメントとアタッチメントを収納するアタッチメントホルダーについて特開平７−５１２００号公報に次の記載がある。
「アタッチメントホルダーについて図２及び図７、図８に基づいて説明する。ホルダー３２は第１の延長管４もしくは手元部３に設けた引掛け部Ｂ１０に、支持壁２６から上側に延び外郭との間に隙間ｈを設けかつガイド壁２７と略同一面をなして一体形成してある。ホルダー３２の幅ｗとスキマｈは、第１の延長管４又は手元部３の外郭との間でアタッチメントの弾性を利用して内周を挟持できる寸法関係に設定してある。」
【特許文献１】特開平７−５１２００号公報（第４頁、図２、７、８）
【発明の開示】
【発明が解決しようとする課題】
【０００３】
先行技術による従来のアタッチメント（本発明のノズルであり、以下ノズルとする）の収納によると、尖ったノズルの先端が使用者の方に向いて装着されるので（特許文献１の図８の記載より判断できる。即ち、ホルダー３２の幅ｗとスキマｈと、第１の延長管４又は手元部３の外郭とでアタッチメントの内周を挟持している断面図である図８で、挟持しているアタッチメントの断面は円形であり、ノズルとして断面を狭めた先端側でない）好ましくない。また、床吸込具を前後動作させて掃除すると、ノズルの先端が服に引っ掛かりノズルがアタッチメントホルダーから外れ落ちる可能性がある。
また、ノズル先端を使用者と反対向きに装着させるには、Ｌ形状のガイド壁の先端が下向きになり、掃除動作の振動で落下する可能性が大きい。
【０００４】
本発明は、上記の問題を解消するためになされたものであり、ノズルを収納状態で電気掃除機を使用しても使用者に安全である電気掃除機を得ることを目的とする。
また、ノズルを収納状態で電気掃除機を使用してもノズルが安定している電気掃除機を得ることを目的とする。
また、ノズルを使用時に、ノズル詰まりが生じても支障のない電気掃除機を得ることを目的とする。
【課題を解決するための手段】
【０００５】
本発明の電気掃除機は、ホースの吸込口や延長パイプの吸込口等に接続され、隙間掃除や掃けとしての機能を持つノズルを有する電気掃除機であって、ノズルには、一端に先端が細くなった吸込口と、他端に開口を伴う連結用の連結部と、この両端を連通する貫通穴と、両端間に先端側に向いた開口とを形成し、また、掃除機本体または掃除機本体に接続するホース若しくはパイプに先端が使用者側に向くＬ形状のホルダーを取付け、ノズルの開口にホルダーのＬ形状の先端を差し込み、ノズルを収納するものである。
【発明の効果】
【０００６】
本発明の電気掃除機は、ノズルの両端間に先端側に向いた開口とを形成し、ノズル取付け部に先端が使用者側に向くＬ形状のホルダーを形成し、ノズルの開口にホルダーのＬ形状の先端を差し込み、ノズルを収納するので、先端の尖ったノズルの先端部を、使用者とは反対向きに収納でき安全である。また、ノズルの端部を固定しているのではないので、掃除動作による揺さ振りでノズルが振られることは少なく、外れて落ちることもない。
【発明を実施するための最良の形態】
【０００７】
実施の形態１．
図１は、横型の電気掃除機を示す斜視図であり、図２は、この電気掃除機のノズルの斜視図であり、図３は、この電気掃除機の延長パイプの部分斜視図であり、図４は、ノズルを延長パイプに収納した状態を示す部分断面図である。
これらの図において、電動送風機や集塵室などを搭載した電気掃除機本体１の一端の吸込口１ａには蛇腹のホース２が連結され、またホース２の吸込口２ａには延長パイプ３が連結される。さらに、延長パイプ３の吸込口３ａに床ブラシ４が連結される（床ブラシ４はホース２の吸込口２ａに連結される場合もある）。また、隙間等を掃除する際に使用する、先端が他端より細くなったノズル５が延長パイプ３の側面に装着して収納されている。
【０００８】
このノズル５は、図２に示すように、一端には先端が扁平状に細くなった吸込口６が開口し、他端には、ホース２の手元部２ｂの吸込口２ａまたは延長パイプ３の吸込口３ａに接続される断面がほぼ円形の連結部７が開口し、一端の開口と他端の開口とは、ノズル５内を貫通する穴で連通している。また、連結部７の開口から断面円形の連結部７を構成する円筒部７ａが一端側に延長し、一端の扁平開口から扁平部６ａが他端側に延長し、扁平部６ａの円筒部６ｂと連結部７の円筒部７ａとは合体し一体となるが、扁平部６ａの平面部６ｃの延長端は円筒部７ａの延長端より若干他端側に入り込む構造をとる。そこで、扁平部６ａの延長端側の両平面部６ｃ、６ｃと円筒部７ａの延長端側とで一端側に向かって開口する二開口８、８が形成される。
【０００９】
延長パイプ３には、図３に示すように、延長パイプ３の外形部より略Ｌ形状のホルダー９が突出して形成される。このホルダー９は延長パイプ３の外形部上で、その略Ｌ形状の先端が吸気上流側（図１の本体１側で、使用者側）方向に向くように形成される。
【００１０】
次に、ノズル５をホルダー９へ装着し、収納する動作を説明する。
図４の断面図に示すように、ノズル５の開口８にホルダー９を差込むことにより、ノズル５は延長パイプ３に装着され、収納される。この時、ホルダー９はノズル５の連結部７の外壁の肉厚により押し上げられ、弾性押圧力によってノズル５を保持する。
なお、このような略Ｌ形状のホルダー９は延長パイプ３に限らず、ホース２の手元部２ｂ近辺や床ブラシ４の延長パイプ３への連結部に形成してもよく、また、縦型掃除機の場合は図示しないがハンドル等でもよく、さらに、小型ハンデイ掃除機では本体に形成する。これらの場合も同様に、ホルダー９は弾性押圧力によってノズル５を保持する。
また、この開口８は、ノズル５を貫通する貫通穴に連通し、ノズル５を掃除に使用時には、吸引時にリーク風路として空気が流入する。
【００１１】
本実施の形態のようにノズル５をホルダー９に装着し、収納すれれば、先端の尖ったノズル５の先端を、使用者とは反対向きに収納でき安全である。また、両端から離れて形成された開口８にホルダ９を差し込むことでノズル５を固定し、ノズル５の端部を固定しているのではないので、掃除中に揺さ振られても、ノズル５の端部が大きく振られることは少なく、外れて落ちることも少ない。また、掃除中にノズル５の吸込口６が塞がれても、開口８から電動送風機には絶えず空気が流入し冷却し損傷を防ぎ、柔らかい素材の蛇腹ホースが吸引変形されるのも低減でき、更に、流速も下げるので吸込み風による音も下げるといった効果も兼ねている。
なお、開口８は、ノズル５使用時に吸込口６からの吸込みを妨害しないような大きさの開口とする。
また、開口８は、ノズル５使用時に空気吸引により真空度を下げないように、両開口８、８のうち、ホルダー９に装着しない方の開口８を塞いだり、例えば、図４で扁平部６ａの平面部６ｃの延長端の他端側に入り込む量を増加して、ホルダー９の先端部より他端側に延ばし、開口８でホルダー９に装着するが、両開口８、８は内部で平面部６ｃの延長端とで塞ぐことにより吸引通路には連通しないようにしてもよい。
【００１２】
実施の形態２．
図５は、実施の形態２の電気掃除機のノズル５の斜視図であり、図６は、同じく、延長パイプのホルダー９近傍の部分斜視図であり、図７は、同じく、ノズルを延長パイプに収納した状態を示す部分断面図である。
本実施の形態においては、ノズル５のホルダー９への装着、収納をさらに改良したものであり、その他は実施の形態１に記載と同様である。そこで、以下主として相違点を説明する。
【００１３】
ノズル５の開口８と連結部７の開口との間の円筒部７ａの側面に、内部へ貫通するように穴１０を設ける。また、ホルダー９の先端９ａの内面に突起１１を設ける。突起１１と穴１０の位置関係は、ノズル５をホルダー９に装着、収納時に突起１１が穴１０に挿入されるような位置関係である。
【００１４】
次に、ノズル５をホルダー９へ装着し、収納する動作を説明する。
図７に示すように、ノズル５の開口８にホルダー９を差込むことにより、ノズル５は延長パイプ３に装着され、収納される。この時、ホルダー９はノズル５の連結部７の外壁の肉厚により押し上げられ、弾性押圧力によってノズル５を保持する。更に、突起１１が、穴１０に挿入され、弾性押圧力に加えて引っ掛かりによっても固定され、より確実に固定される。ノズル５を外す時は、ノズル５をホルダー９のＬ形状の先端方向に引き抜こうとすると、弾性押圧力より強く引くと突起１１が穴１０から外れ、ノズル５をホルダー９から外すことができる。
【００１５】
なお、このようなホルダー９の形成は、ホース２の手元部２ｂ近辺や床ブラシ４の延長パイプ３への連結部でもよく、また、縦型掃除機のハンドル等でもよく、さらに、小型ハンデイ掃除機の本体でもよいのは、実施の形態１と同様である。
また、開口８の大きさや開口を塞いでもよいことも実施の形態１と同様である。
さらに、穴１０は連結部７の後端部まで切り開かれた切欠きとしてもよく、効果も同様である。
【００１６】
本実施の形態の電気掃除機においては、突起１１と穴１０による引っ掛かりがあるために、実施の形態１の場合よりも確実に固定され、掃除動作中や持運びで生じる振動でノズル５が外れてしまうことがない。
【００１７】
また、図８は、ノズル５をホース２の手元部２ｂの吸込口１２に装着した状態を示す部分断面図であるが、図８に示すように、使用時は、ノズル５はホース２の手元部２ｂの吸込口１２に差込み装着され、穴１０はホース手元部２ｂの吸込口２ａの内面である嵌合面により塞がれる。従って、吸引時には、穴１０から空気が入り込むことはなく、穴１０を空気が通過して異音を発生させることもなく、さらに、真空度を下げることもないので吸引力が低下することもない。また、ノズル５を延長パイプ３の吸込口３ａに装着され使用される場合も同様に穴１０は塞がれる。
但し、電動送風機の容量を大きくする等により、吸引力の低下を防いで、特に穴１０を塞ぐ配慮をしないようにしてもよい。
【００１８】
実施の形態３．
図９は、実施の形態４の電気掃除機のノズル５の斜視図であり、図１０は、同じくノズル５の連結部７近傍の部分斜視図である。
本実施の形態の電気掃除機は、ノズル５の連結部７の円筒部７ａの外形状を変えた他は実施の形態２の電気掃除機と同様であり、以下主として相違点を説明する。
図９に示すように、連結部７に扁平部６ａの平面部６ｃと略平行に、連結部７の円筒部７ａに平面部７ｂを設け、この平面部７ｂに穴１０を設けた。この平面部７ｂは、１面もしくは向かい合う２面で構成されている。
また、図１０に示すように、平面部７ｂの代わりに、ホルダー９を持つ部品（延長パイプ３、ホース２の手元部２ｂ、床ブラシ４の連結部等）の外形に類似した曲面でえぐり取ったような、内反り曲面７ｃとしてもよい、即ち、ホルダー９取付け部の外形形状に合せた面７ｃとする。
【００１９】
図９、図１０に示すように、ホルダー９収納側の面である平面部７ｂ、内反り曲面７ｃをホルダー９側に向けて図７のようにノズル５を収納装着した場合、平面部７ｂや内反り曲面７ｃがホルダー９を有する外壁と当接し、ホルダー９と外壁に挟持され、更に突起１１が穴１０に挿入されて収納される。
本実施の形態の電気掃除機によれば、連結部７が全て円筒状の物よりも、ホルダー９を有する外壁にノズル５をより近づけて収納することが可能になり、収納時のコンパクト性が向上する。また内反り曲面１５が外壁形状と類似している場合、当接する面積が増えるので、振動による揺さ振りに強く、安定した収納を可能とする。
なお、本実施の形態１と同様に穴１０、突起１１は特に設けなくても、収納時のコンパクト性及び振動に対する安定した収納を可能とする効果を有する。
その他は、実施の形態１、２、３と同様である。
【００２０】
実施の形態４．
図１１は、実施の形態４の植毛台付きのノズル（実施の形態３のノズルに植毛台を取付けたノズル）の斜視図であり、図１２は、図１１の植毛台付きのノズルの植毛台を移動させた状態を示す植毛台付きのノズルの斜視図であり、図１３は、図１１の植毛台付きのノズルを延長パイプのホルダーに装着、収納した状態を示す部分斜視図であり、図１４は、図１１の植毛台付きのノズルを延長パイプのホルダーに装着、収納した状態を示す部分断面図である。
本実施の形態の電気掃除機は、ノズル５を植毛台付きのノズル５とした他は、実施の形態1、２、３と同様であり、以下主として相違点を説明する。
これらの図において、ノズル５には植毛台１６が取付けられ、また植毛台１６の先端部には植毛１７が設けられ、植毛台１６はラッチ１８を解除することによりノズル５の扁平部６ａ上をスライド移動する。扁平部６ａの円筒部６ｂに所定の間隔で複数の溝１９が形成され、この溝１９にラッチの爪がバネ圧で押圧され、嵌合され植毛台１６はノズル５の扁平部６ａに固定される。植毛台１６の移動は、ラッチ１８を押し下げて、嵌合している爪をシーソー式に持上げて、溝から解除し、スライド移動させる。
【００２１】
植毛台付きのノズル５は、使用時は植毛台１６をノズル５の先端に固定し（図１１の状態）、このノズル５を延長パイプ３に取付ける。また、ノズル５を収納時は、図１３、１４に示すように、延長パイプ３のホルダー９に装着、収納する。
図１４に示すように植毛台１６付きのノズル５を装着、収納するときは、植毛台１６の外側面１６ａと延長パイプ３の外壁（ホルダー９取付け部の外壁）との隙間が、植毛台１６が装着されていない時のノズル５と延長パイプ３の外壁との隙間より狭くなり、連結部７側が固定された時に、開口８が支点となり吸込口６側が振られても、すぐに植毛台１６が延長パイプ３の外壁に当接するので、振られ角度が少なく、ホルダー９への影響も少なく、外れて落下することは一層減少する。
本実施の形態では、実施の形態３の電気掃除機のノズル５、延長パイプ３の場合で説明したが、実施の形態１、２、３の電気掃除機のノズル５を、植毛１７付きの植毛台１６を取付けた植毛台１６付きのノズル５としても同様である。
【００２２】
実施の形態５．
図１５は、実施の形態５の電気掃除機のホルダー９近傍の延長パイプを示す部分斜視図であり、図１６は、実施の形態４で説明した植毛１７付きの植毛台１６を取付けた植毛台１６付きのノズル５を延長パイプ３のホルダー９に装着、収納した状態を示す部分断面図である。
本実施の形態の電気掃除機は、延長パイプ３上で、ホルダー９取付け部の先端よりさらに吸気上流側（図１の本体１側）に、外壁から突出した凸部２０を設ける。凸部２０のホルダー９上の設置位置は、ノズル５を装着したとき、連結部７の端部が位置する場所である。その他の構成等は実施の形態１、２、３、４と同様であるので、以下主として相違点を説明する。
【００２３】
凸部２０を設けることにより、ノズル５の開口８にホルダー９を差込んで収納する場合、弾性押圧力でノズル５は保持されるのに加えて、凸部２０が連結部７に当接し、ホルダー９が押し上げられ押圧力が増加し、保持力が増加する。また、植毛台１６付きの場合、延長パイプ３等の外壁との隙間が更に減り、収納時の安定性が増え、外れ難くなる。
植毛台１６付きノズル５で説明したが、実施の形態１、２、３のノズル５でも同様に収納安定性が増す。
【００２４】
本実施の形態の電気掃除機によれば、ホルダー９が形成された延長パイプ３等の凸部２０により保持力が増すので、掃除中にノズル５が延長パイプ３等から外れ落ちることは少なくなる。
【図面の簡単な説明】
【００２５】
【図１】実施の形態１の電気掃除機を示す斜視図である。
【図２】実施の形態１の電気掃除機のノズルを示す斜視図である。
【図３】実施の形態１の電気掃除機の延長パイプを示す部分斜視図である。
【図４】実施の形態１の電気掃除機のノズル収納時の部分断面図である。
【図５】実施の形態２の電気掃除機のノズルを示す斜視図である。
【図６】実施の形態２の電気掃除機の延長パイプを示す部分斜視図である。
【図７】実施の形態２の電気掃除機のノズル収納時の部分断面図である。
【図８】実施の形態２の電気掃除機のノズルをホース手元部の吸込口へ装着した状態を示す部分断面図である。
【図９】実施の形態３の電気掃除機のノズルを示す斜視図である。
【図１０】実施の形態３の電気掃除機のノズルの連結部近傍を示す部分斜視図である。
【図１１】実施の形態４の電気掃除機の植毛台付きのノズルを示す斜視図である。
【図１２】実施の形態４の電気掃除機の植毛台付きのノズルの植毛台を移動させた状態を示す斜視図である。
【図１３】実施の形態４の電気掃除機の植毛台付きのノズルを延長パイプのホルダーに収納した状態を示す斜視図である。
【図１４】実施の形態４の電気掃除機の植毛台付きのノズルを延長パイプのホルダーに収納した状態を示す部分断面図である。
【図１５】実施の形態５の電気掃除機のホルダー近傍の延長パイプを示す部分斜視図である。
【図１６】実施の形態５の電気掃除機の植毛台付きのノズルを延長パイプのホルダーに収納した状態を示す部分断面図である。
【符号の説明】
【００２６】
１  掃除機本体、２  ホース、２ａ  ホースの吸込口、３  延長パイプ、３ａ  延長パイプの吸込口、５  ノズル、６  ノズルの吸込口、７  連結部、７ｂ  平面、７ｃ  合せた面、８  開口、９  ホルダー、９ａ  ホルダーの先端、１０  穴、１１  突起、１６  植毛台、１７  植毛、２０  凸部。
【図１】
2005052551.tif 000003
【図２】
2005052551.tif 000004
【図３】
2005052551.tif 000005
【図４】
2005052551.tif 000006
【図５】
2005052551.tif 000007
【図６】
2005052551.tif 000008
【図７】
2005052551.tif 000009
【図８】
2005052551.tif 000010
【図９】
2005052551.tif 000011
【図１０】
2005052551.tif 000012
【図１１】
2005052551.tif 000013
【図１２】
2005052551.tif 000014
【図１３】
2005052551.tif 000015
【図１４】
2005052551.tif 000016
【図１５】
2005052551.tif 000017
【図１６】
2005052551.tif 000018